(57)【要約】【課題】綴環を充分に開くことができると共に、綴環が不要に所定以上の角度に開かないようにすることができ、また綴環を片手でも簡便かつ容易に開閉することができるバインダー綴具を提供する。【解決手段】ほぼ半裁状に形成された複数の綴環２を有する固定基板３と、固定基板の綴環２に係合し得るほぼ半裁状に形成された複数の綴環４を有しこの固定基板３に回動かつその長手方向に移動可能に枢着した可動基板５を備えている。この可動基板５の端部に偏心カム機構を有する作動部材７が回転可能に設けられており、上記綴環の係合部が離脱した状態のときに作動部材７を起立方向に回動させ可動基板５を回動させることによって綴環２，４を開き、作動部材７が起立前の状態のときにこの作動部材７を回転させ偏心カム機構の作用より可動基板５を長手方向に移動させることによって綴環２，４を閉じるようにしている。【選択図】図１
2010012731.tif 000002
【特許請求の範囲】
【請求項１】
ほぼ半裁状に形成した一方の複数の綴環を有する固定基板と、固定基板の綴環に係合し得るほぼ半裁状に形成された他方の複数の綴環を有しこの固定基板に回動かつその長手方向に移動可能に枢着した可動基板を備え、この可動基板の端部に偏心カム機構を有する作動部材を回転可能に設け、上記綴環の係合部が離脱した状態のときに作動部材を起立方向に回動し可動基板を回動させることによって綴環を開き、作動部材が起立前の状態のときにこの作動部材を回転し上記偏心カム機構の作用より可動基板を長手方向に移動させることによって綴環を閉じるようにしたことを特徴とするバインダー綴具。
【請求項２】
固定基板の端部に形成した支持部に作動部材を案内支持し、その支持部に作動部材の回転を所定の位置で停止させる係止部を設けた請求項１に記載のバインダー綴具。
【請求項３】
固定基板と可動基板の一方に突部を、他方に切欠部を設け、綴環が離脱した状態のときに突部と切欠部を係合させて可動基板の回動を可能とし、綴環が係合した状態のときに突部と切欠部の係合を解き可動基板の回動を不能とするようにした請求項１または２に記載のバインダー綴具。
【請求項４】
綴環の開拡度を制限し得るよう突部と切欠部が接触する部分に形成される可動基板の傾斜角度を調整するようにした請求項３に記載のバインダー綴具。
【請求項５】
綴環係合部が可動基板の長手方向に沿う方向において係合、離脱するよう綴環の係合部に一対の凹凸部を設けた請求項１ないし４のいずれかに記載のバインダー綴具。
【発明の詳細な説明】
【技術分野】
【０００１】
本発明は、ルーズリーフ等の用紙を簡便に綴ることができるバインダー綴具に関し、特に綴環の開閉を片手で簡易に操作することができるバインダー綴具に関する。
【背景技術】
【０００２】
ルーズリーフ等の用紙を綴る綴具として、下記のような３種類の形式のものが知られている。
第１の形式のものは、基板に半裁状に形成された複数の綴環を対向して設け、これらの対向する綴環を基板の両端部に設けた操作片を作動することによって開閉するようにしたものである（特許文献１）。
第２のものは、半裁状に形成された複数の綴環を有する固定基板と、固定基板の綴環に係合する半裁状に形成された複数の綴環を有する可動基板を備え、これらの固定基板と可動基板を一端部で枢着し、その可動基板を固定基板に対して扇状に開くようにしたものである（特許文献２）。
第３の形式のものは、半裁状に形成された複数の綴環を有する固定基板と、固定基板の綴環に係合する半裁状に形成された複数の綴環を有する可動基板を備え、指掛片を操作することによって上記可動基板をその長手方向に対し直交する方向に移動させるようにしたものである（特許文献３）。
【０００３】
上記第１の形式のものは、綴環の開拡角度をそれ捏大きくすることができないものであるので用紙の挿入をスムーズに行うことができず、また綴環を開閉する際にその操作を両手で行う必要があり操作が面倒である。
【０００４】
上記第２の形式のものは、固定基板と可動基板が一端で枢着されているために、綴環を開閉した際にその枢着側の綴環の開きが悪く充分に開くことができないので用紙の挿入や取外しがし難い。
【０００５】
上記第３の形式のものは、可動基板を長手方向に対し直交する方向に移動させるために移動の際に可動基板がファイルの表紙に接触することがあり、また、指掛片を操作して綴環を開閉する際にはファイルが動かないように他方の手で固定基板を押えておく必要がある。
【特許文献１】特開２００３−２４６１８１号公報（段落「００２３」、図１、図１０）
【特許文献２】特開平８−９０９７４号公報（段落「０００５」、図１）
【特許文献３】特開平７−１０１１９２号公報（段落「０００４」、「０００５」、図１）
【発明の開示】
【発明が解決しようとする課題】
【０００６】
本発明は、従来の問題点を解決すると共に更にこれを改善するものであって、綴環を充分に開くことができる上に、綴環が不要に所定以上の角度に開かないように安全性かつ確実性を図ることができ、また綴環を片手でも簡便かつ容易に開閉することができるバインダー綴具を提供しようとするものである。
【課題を解決するための手段】
【０００７】
本発明は、ほぼ半裁状に形成された複数の綴環を有する固定基板と、固定基板の綴環に係合し得るほぼ半裁状に形成された複数の綴環を有しこの固定基板に回動かつその長手方向に移動可能に枢着した可動基板を備え、この可動基板の端部に偏心カム機構を有する作動部材を回転可能に設け、上記綴環の係合部が離脱した状態のときに作動部材を起立方向に回動させ可動基板を回動させることによって綴環を開き、作動部材が起立前の状態のときにこの作動部材を回転させ偏心カム機構の作用より可動基板を長手方向に移動させることによって綴環を閉じるようにしたものである。
【０００８】
また、本発明は、固定基板の端部に形成した支持部に作動部材を案内支持し、その支持部に係止部を設け、この係止部によって作動部材の回転を所定の位置で停止させるようにしたものである。
【０００９】
更に、本発明は、固定基板と可動基板の一方に突部を、他方に切欠部を設け、綴環が離脱した状態のときに突部と切欠部を係合させて可動基板の回動を可能とし、綴環が係合した状態のときに突部と切欠部の係合を解き可動基板の回動を不能とするようにしたものである。
【００１０】
また、本発明は、固定基板と可動基板に設けた突部と切欠部が接触する部分に形成される可動基板の傾斜角度を調整し、綴環の開拡度を制限するようにしたものである。
【００１１】
更に、本発明は、綴環の係合部に一対の凹凸部を設け、この凹凸部が可動基板の長手方向に沿う方向で係合、離脱するようにしたものである。
【発明の効果】
【００１２】
本発明は、可動基板に設けた作動部材の回動により綴環を充分に開くことができ用紙の着脱が容易であると共に、作動部材を回転させることにより綴環を容易かつ確実に閉じることができる。また、作動部材の操作が片手でもできるので綴環の開閉が楽である。しかも、作動部材の回転を係止部によって所定の位置で停止させることができ、作動部材の回転を制限することができる。更に、固定基板と可動基板に突部と切欠部を設けたので、これらの係合・離脱によって綴環を所要の開閉状況に合わせて正しく開閉することができると共に、無理な作動部材の回動や不要な綴環の開閉を防ぐことができる。また、突部と切欠部間の接触角度を調整したので、綴環の開拡度を制限することができ、可動基板を所定角度以上に開くことがなく安全である。更に、作動部材を回転した際に、綴環どうしをしっかりと係合させることができ、しかも綴環の先端部に設けた凹凸部が可動基板の長手方向に沿う方向から係合するので、綴環を上下方向で一層確実に係合させ、バインダーの使用中に綴環が開くことがなく、用紙の外れを防ぐことができる。
【発明を実施するための最良の形態】
【００１３】
綴具１は、ほぼ半裁状に形成する一方の複数の綴環２を有する固定基板３と、この固定基板の綴環２に対応するほぼ半裁状の他方の複数の綴環４を有しこの固定基板に回動かつその長手方向に移動可能に枢着する可動基板５と、この可動基板の端部に回転可能に装着した、偏心カム機構６を有する作動部材７を備えている。
【００１４】
固定基板３と可動基板５の枢着部分は、図３〜図５に示すように、固定基板３に設けたヒンジ部８に作動基板５の軸部９を係合させて形成しており、その際に軸部９の両側に段部１０を形成し、この段部間で上記ヒンジ部８が相対的に移動できるようにし、これによってその対向する綴環２、４が離脱したり、係合したりすることができるように可動基板５を長手方向に移動させている。
【００１５】
上記偏心カム機構６を有する作動部材７は、下記のように可動基板５の端部に装着されている。
即ち、可動基板５の端部には、作動部材７を取り付けるための取付部１１が設けられ、この取付部が固定基板３の端部に形成された枠状の支持部１２内に挿入されている。
作動部材７と可動基板５の取り付けは、図１１及び図１２に詳細に示すように、作動部材７の下部に割溝１３を有する鍔部４６付きの止着部１４を設け、この止着部１４に形成した段溝４７に可動基板５を回転可能に嵌合させている。その際に、作動部材７の止着部１４がこれに形成した割溝１３による弾性的変形により縮拡して上記可動基板５を嵌合させ、かつその止着部１４に形成した鍔部４６によって可動基板５を確実に保持している。なお、実施例では、作動部材７と止着部１４を一体に設けているが、この作動部材７と止着部１４を別体に形成し、これらをビス等の止具で固定するようにしてもよい。
【００１６】
図１１、図１２、図１５及び図１６に示すように、作動部材７の下部には、偏心カム１７が設けられ、この偏心カムの外周面１８が上記固定基板３の支持部１２の内周面１９に接触している。なお、その際に、作動部材７に設けた指当部２０の内周面２１が固定基板３の支持部１２の外周面２２に沿うように作動部材７を固定基板３の支持部１２に案内している。また、この場合、作動部材７の指当部２０内周面２１に形成した溝２３に、固定基板３の支持部１２外周面２２に形成した突部２４を係合させ、作動部材７を固定基板３の支持部１２に支持するようにしている。
【００１７】
ここで、上記作動部材７を操作し綴環２，４を開閉する場合について、図６〜図１０、及び図１５〜図１７を参照して説明する。
図６、図９及び図１５において、作動部材７の指当部２０が可動基板５の長手方向に直交する方向に位置する場合（図６において左側）では、作動部材７は起立方向に回動可能な状態にあり、またこの位置では、上記綴環２，４は可動基板５の長手方向において離脱した状態になっている。
【００１８】
この状態で、作動部材７を起立させると、図７及び図１７に示すように、作動部材７の回動に伴って可動基板５が回動し、上記綴環２，４が開く。この状態にある時に、綴穴を有する用紙を綴環４に綴じたり、外したりする。
【００１９】
次に、上記綴環２，４を綴じる場合は、作動部材７を起立している状態から図６の平坦な状態に戻し、図８、図１０及び図１６に示すように、この作動部材７をその指当部２０が可動基板５の長手方向に位置するところまで回転すると、可動基板５は引き寄せられ、その上記綴環２，４が閉じられる。この場合、作動部材７の指当部２０に掛け部２５を設け、この掛け部を固定基板３の支持部外周面２２に形成した肩部２６に掛けるという手段によって係止部を形成し、この係止部によって作動部材７を所定の位置で停止させるようにしている。
【００２０】
なお、この例では、作動部材７の回転範囲を規制するために、図１５及び図１６に示すように、可動基板５の取付部１１に設けた突起２７を作動部材７の偏心カム１７に形成した切欠溝２８に案内している。
【００２１】
また、実施例では、図５に示すように、固定基板３に切欠部２９を形成し、この切欠部に係合可能な突部３０を設け、可動基板５の長手方向への移動によって、上記作動部材７が起立可能な状態にあるときに、上記突部３０を切欠部２９に挿入させ可動基板５が開閉できるようにし（図９及び図１９）、また、作動部材７を回転しその指当部２０が可動基板５の長手方向にあるときには、上記突部３０が切欠部２９に挿入できず、可動基板５が開閉できないようになっている（図１０）。
【００２２】
なお、作動部材７の操作によって可動基板５を開いた際に、その綴環２、４間の開拡度αが所定の角度となるようにしている。この例では、図１９に示すように、可動基板５の下部が当接する切欠部２９の接触面３１が約３０度の傾斜面に形成されているが、この傾斜角は、その他綴環４に用紙を着脱するに充分な間隔を有する範囲内で適宜の角度にすることができ、また、上記接触面３１は傾斜面以外の平坦その他の面に形成するようにしてもよい。
【００２３】
上記作動部材７には、図９、図１０、図１１及び図１２に示すように、可動基板５の取付部１１に形成したＵ字状のクリック部３２と、このクリック部を着脱可能に係合するクリック溝３３が設けられており、このクリック部３２及びクリック溝３３によるクリック作用によって適宜クリック音を発生させ、作動部材７の指当部２０が可動基板５の長手方向の位置（綴環が閉じた状態）にあることを知らせることができる。
【００２４】
また、作動部材７には、これに指を掛け易くするために指当部２０の表面にローレット３４加工を施したり、作動部材７の側面に指掛け部３５や突起部５２を設けたり、また、作動部材７の表面に回動方向を示す三角等の表示３６や回転方向を示す矢印表示３７を設けたりすることができる。なお、作動部材７の表面には、適宜、商標３８等の表示をすることができる。
【００２５】
上記綴環２，４の先端部には、図２０及び図２１に示すように、可動基板５の長手方向から係合できるように一対の凹部３９と凸部４０や段部４１等が設けられている。
【００２６】
上記実施例では、上記綴具１はプラスチック材で形成しているが、その他適宜の材料で形成することができる。なお、この例では、可動基板５の取付部１１に連続する部分５１を幅広に形成し、作動部材によって可動基板５を回動した際に強度上充分耐え得るようにしているが、図２２に示すように、上記取付部１１に連続する部分に金属等で形成した補強材４２を挿入したり、副えるようにしたりして補強するようにしてもよい。
【００２７】
図２３に示す例は、上記可動基板５を長手方向に移動するための他のカム手段を示すもので、作動部材７に設けた鍔４３付きのピン４４を、可動基板５の取付部１１に形成した長溝４５に案内している。
【００２８】
なお、この実施例では、上記固定基板３には、バインダーの背表紙部分に取り付けるための取付穴５０が設けられている。また、バインダーは、３０穴用のものとして記載されているが、それ以外に８穴、２０穴、２６穴その他の綴穴用のものとすることができる。
【図面の簡単な説明】
【００２９】
【図１】本発明の実施例であって、作動部材が回動可能状態にある場合を示す綴具の平面図である。
【図２】図１において、作動部材が回転綴環が開閉しない状態を示す綴具の平面図である。
【図３】固定基板を示すものであって、（Ａ）は平面図、（Ｂ）は右側面図、（Ｃ）は左側面図、（Ｄ）は底面図である。
【図４】可動基板を示すものであって、（Ａ）は平面図、（Ｂ）は右側面図、（Ｃ）は左側面図、（Ｄ）は底面図である。
【図５】固定基板と可動基板を枢着するヒンジ部を示す部分拡大平面図である。
【図６】作動部材が回動可能な位置にある状態を示す作動部材部分の拡大平面図である。
【図７】作動部材が回動した位置にある状態を示す作動部材部分の拡大平面図である。
【図８】作動部材が回転された位置にある状態を示す作動部材部分の拡大平面図である。
【図９】作動部材が回動可能な位置にある状態を示す作動部材部分の拡大底面図である。
【図１０】作動部材が回転された位置にある状態を示す作動部材部分の拡大底面図である。
【図１１】作動部材と可動部材の取り付け状態を示す拡大底面図である。
【図１２】図１１におけるＡ−Ａ線拡大断面図である。
【図１３】作動部材の拡大平面図である。
【図１４】作動部材の拡大側面図である。
【図１５】作動部材が回動可能な位置にある作動部材の偏心カムの作動状態を示す部分拡大底面図である。
【図１６】作動部材が回転された位置にある作動部材の偏心カムの作動状態を示す部分拡大底面図である。
【図１７】綴環が開いた状態を示す作動部材部分の拡大横断面図である。
【図１８】綴環が閉じた状態を示す固定基板の取付穴部分の拡大横断面図である。
【図１９】綴環の開き状態を示す綴具の拡大横断面図である。
【図２０】綴環先端部の係合状態を示す拡大平面図である。
【図２１】綴環先端部の係合状態を示すもので、Ａは、この実施例の場合、Ｂ〜Ｄは他の実施例の場合を示す拡大断面図である。
【図２２】可動基板の他の例を示す部分拡大平面図である。
【図２３】偏心カム機構の他の例を示す部分拡大平面図である。
【符号の説明】
【００３０】
２，４  綴環      ３．固定基板      ５  可動基板  、６  偏心カム機構      ７作動部材    ８  ヒンジ部      ２０  指当部      ２５掛け部      ２６  肩部  ２９切欠部      ３０  突部
【図１】
2010012731.tif 000003
【図２】
2010012731.tif 000004
【図３】
2010012731.tif 000005
【図４】
2010012731.tif 000006
【図５】
2010012731.tif 000007
【図６】
2010012731.tif 000008
【図７】
2010012731.tif 000009
【図８】
2010012731.tif 000010
【図９】
2010012731.tif 000011
【図１０】
2010012731.tif 000012
【図１１】
2010012731.tif 000013
【図１２】
2010012731.tif 000014
【図１３】
2010012731.tif 000015
【図１４】
2010012731.tif 000016
【図１５】
2010012731.tif 000017
【図１６】
2010012731.tif 000018
【図１７】
2010012731.tif 000019
【図１８】
2010012731.tif 000020
【図１９】
2010012731.tif 000021
【図２０】
2010012731.tif 000022
【図２１】
2010012731.tif 000023
【図２２】
2010012731.tif 000024
【図２３】
2010012731.tif 000025